(57)【要約】端子集合体を使用して、部品間のシールド壁や外部接続端子を容易に形成することができるモジュールを提供する。モジュール１は、基板２の上面２ａおよび下面２ｂに実装された部品３と、基板２の上面２ａに積層された第２封止樹脂層４と、基板２の下面２ｂに積層された第１封止樹脂層５と、基板２の下面２ｂに実装された端子ブロック６とを備える。端子ブロック６は、端子部１０ａと接続導体１０の一端が屈曲されることにより形成された基板接続部１０ｂとで形成された複数の接続導体１０が樹脂６ａにより一体化されたものであり、モジュール１の外部接続端子を構成したり、また、部品３に対するシールド壁として機能する。端子ブロック６は、端子集合体を基板２の下面２ｂに実装して、樹脂で封止した後、表面を研磨して連結部を除去することにより形成することができる。
2019138895.tif 000002
【特許請求の範囲】
【請求項１】
基板と、
前記基板の一方主面に実装された部品および接続導体と、
前記一方主面と前記部品と前記接続導体とを被覆する第１封止樹脂層とを備え、
前記接続導体は、前記第１封止樹脂層内に立設された端子部と、前記接続導体の端部が屈曲されてなる基板接続部とを有し、
前記端子部は、その端部が前記第１封止樹脂層の表面から露出し、前記基板接続部が前記基板の前記一方主面に接続されている
ことを特徴とする部品内蔵モジュール。
【請求項２】
前記端子部の前記端部が、外部接続端子を構成することを特徴とする請求項１に記載の部品内蔵モジュール。
【請求項３】
前記第１封止樹脂層の表面にシールド膜が形成され、前記端子部の前記端部が前記シールド膜に接続されていることを特徴とする請求項１に記載の部品内蔵モジュール。
【請求項４】
複数の前記接続導体が、一列に配列されて樹脂製の端子ブロックにより一体化され、
前記端子ブロックにより一体化された前記複数の接続導体の前記基板接続部は同じ向きに配置されている
ことを特徴とする請求項１ないし３のいずれか１項に記載の部品内蔵モジュール。
【請求項５】
前記端子ブロックにより一体化された前記複数の接続導体の隣接する前記端子部同士が面導体により接続されていることを特徴とする請求項４に記載の部品内蔵モジュール。
【請求項６】
複数の前記端子ブロックが前記部品を囲むように配置されていることを特徴とする請求項４または５に記載の部品内蔵モジュール。
【請求項７】
前記基板の他方主面に実装された部品と、
前記他方主面と前記部品とを被覆する第２封止樹脂層と
をさらに備えることを特徴とする請求項１ないし６のいずれか１項に記載の部品内蔵モジュール。
【請求項８】
前記基板の他方主面に他の部品とともに実装された他の接続導体と、前記他方主面と前記他の部品と前記他の接続導体とを被覆する第２封止樹脂層とをさらに備え、前記他の接続導体は、前記第２封止樹脂層内に立設された端子部と、前記他の接続導体の端部が屈曲されてなる基板接続部とを有し、
前記端子部は、その端部が前記第２封止樹脂層の表面から露出し、前記基板接続部が前記基板の前記他方主面に接続され、前記一方主面に実装された前記接続導体および前記他方主面に実装された前記他の接続導体の前記端子部の前記端部が外部接続端子を構成することを特徴とする請求項１に記載の部品内蔵モジュール。
【請求項９】
複数の前記他の接続導体が、一列に配列されて樹脂製の端子ブロックにより一体化され、
前記端子ブロックにより一体化された前記複数の他の接続導体の前記基板接続部は同じ向きに配置されている
ことを特徴とする請求項８に記載の部品内蔵モジュール。
【請求項１０】
前記端子ブロックにより一体化された前記複数の他の接続導体の隣接する前記端子部同士が面導体により接続されていることを特徴とする請求項９に記載の部品内蔵モジュール。
【請求項１１】
複数の前記端子ブロックが前記他の部品を囲むように配置されていることを特徴とする請求項９または１０に記載の部品内蔵モジュール。
【請求項１２】
前記基板の他方主面に実装された前記部品および他の接続導体と、前記他方主面と前記部品と前記他の接続導体とを被覆する第２封止樹脂層と、前記第１封止樹脂層および前記第２封止樹脂層の表面に形成されたシールド膜とをさらに備え、前記他の接続導体は、前記第２封止樹脂層内に立設された端子部と、前記他の接続導体の端部が屈曲されてなる基板接続部とを有し、
前記端子部は、その端部が前記第２封止樹脂層の表面から露出し、前記基板接続部が前記基板の前記他方主面に接続され、前記一方主面に実装された前記接続導体および前記他方主面に実装された前記他の接続導体のいずれか一方の前記端子部の前記端部が外部接続端子を構成し、他方の前記端子部の前記端部が前記シールド膜に接続されることを特徴とする請求項１に記載の部品内蔵モジュール。
【請求項１３】
複数の前記他の接続導体が、一列に配列されて樹脂製の端子ブロックにより一体化され、
前記端子ブロックにより一体化された前記複数の他の接続導体の前記基板接続部は同じ向きに配置されている
ことを特徴とする請求項１２に記載の部品内蔵モジュール。
【請求項１４】
前記端子ブロックにより一体化された前記複数の他の接続導体の隣接する前記端子部同士が面導体により接続されていることを特徴とする請求項１３に記載の部品内蔵モジュール。
【請求項１５】
複数の前記端子ブロックが前記他の部品を囲むように配置されていることを特徴とする請求項１３または１４に記載の部品内蔵モジュール。
【請求項１６】
一対の端子部と、金属体の端部が屈曲されて形成された基板接続部と、屈曲されていない側の端部同士を繋ぐ連結部とを有する複数の金属体が配列されて樹脂により一体化された端子集合体を形成する端子集合体形成工程と、
前記端子集合体および部品を基板の一方主面に実装する実装工程と、
前記基板の前記一方主面と前記端子集合体と前記部品とを被覆する封止樹脂層を形成する樹脂層形成工程と、
前記封止樹脂層の表面を研磨することにより、前記端子集合体の前記連結部を除去する研磨工程とを備え、
前記端子集合体形成工程は、
一対のフレーム部に複数のリード部が支持されたリードフレームを準備するリードフレーム準備工程と、
前記リードフレームのリード部を曲げ加工して前記基板接続部および前記連結部を有する前記複数の金属体を形成する金属体形成工程と、
前記フレーム部に支持された前記複数の金属体を樹脂により封止する樹脂封止工程と、
前記フレーム部を切断して除去するフレーム切断工程と、
樹脂で封止された前記複数の金属体を切断し個片化する個片化工程とを有する
ことを特徴とする部品内蔵モジュールの製造方法。
【発明の詳細な説明】
【技術分野】
【０００１】
本発明は部品内蔵モジュールおよびその製造方法に関する。
【背景技術】
【０００２】
従来、特許文献１のように、複数の接続端子が連結部を介して連結された端子集合体を配線基板上に実装し、樹脂封止した後に連結部を除去することにより、低コストかつ短い製造時間で層間接続導体を備えるモジュールを製造する方法が提案されている。例えば、図１８（ａ）に示すように、複数の端子１０１が矩形状の連結部１０２の対向する２辺それぞれに連結された金属板を用意し、図１８（ｂ）に示すように、この金属板を折り曲げ加工することにより端子集合体１００が形成される。端子集合体１００およびその他の電子部品を基板の一方主面に実装して、端子集合体１００および電子部品を封止する封止樹脂層を形成し、封止樹脂層の表面を研磨する際に、連結部１０２を除去することにより、端子集合体１００から層間接続導体を形成することができる。【０００３】
このようにして層間接続導体を形成することにより、複数の複雑な工程を経て形成されるビアホールを設ける必要がなく、モジュール製造にかかるコストや製造時間の削減を図ることができる。また、端子集合体１００を基板の一方主面に実装するだけで、複数の層間接続導体を一度に形成することが可能である。
【先行技術文献】
【特許文献】
【０００４】
【特許文献１】特許第５７０８８１４号公報（段落００２１〜００３０、図１参照）
【発明の概要】
【発明が解決しようとする課題】
【０００５】
しかしながら、上記した端子集合体１００を基板に実装する場合、端子１０１と基板との接続面積が小さいため、基板との接続が不安定になり、モジュールの信頼性が低下する恐れがある。また、基板に端子集合体１００を実装して連結部１０２を除去した後、端子１０１が封止樹脂層から抜けてしまう恐れもある。【０００６】
本発明は、上記した課題に鑑みてなされたものであり、基板と端子部との接続面積を大きくして、モジュールの信頼性を向上させることができ、また端子部が封止樹脂層から抜けることを防止したモジュールを提供することを目的とする。
【課題を解決するための手段】
【０００７】
上記した目的を達成するために、本発明のモジュールは、基板と、前記基板の一方主面に実装された部品および接続導体と、前記一方主面と前記部品と前記接続導体とを被覆する第１封止樹脂層とを備え、前記接続導体は、前記第１封止樹脂層内に立設された端子部と、前記接続導体の端部が屈曲されることにより形成された基板接続部とを有し、前記端子部は、その端部が前記第１封止樹脂層の表面から露出し、前記基板接続部が前記基板の前記一方主面に接続されていることを特徴としている。【０００８】
この構成によれば、接続導体は端部が屈曲されて形成された基板接続部を有するため、基板との接続面積を大きくすることができ、接続信頼性を向上させることができる。また、基板接続部があることにより、接続導体が第１封止樹脂層から抜けることを防止することができる。【０００９】
また、前記接続導体の前記端子部の前記端部が、外部接続端子を構成していてもよい。この構成によれば、端子部を外部接続端子として使用することができるため、別途ビアホールを設ける必要がなく、製造コストを削減することができるとともに、製造時間の短縮を図ることができる。【００１０】
また、前記第１封止樹脂層の表面にシールド膜が形成され、前記端子部の前記端部が前記シールド膜に接続されていてもよい。この構成によれば、端子部をシールド膜に接続することで、端子部をモジュール内の部品に対するシールド壁として使用することができる。【００１１】
また、複数の前記接続導体が、一列に配列されて樹脂製の端子ブロックにより一体化され、前記端子ブロックにより一体化された前記複数の接続導体の前記基板接続部は同じ向きに配置されていてもよい。この構成によれば、端子ブロックを組み合わせて基板に容易に実装することができるため、量産性に富んだモジュールを提供することができる。また、モジュール本体が大型化、複雑化、多端子化しても、端子ブロックを形成することで接続導体の基板への実装が容易になり、位置ずれによる接続不良を低減させることができ、端子接続の信頼性を向上させることができる。【００１２】
また、前記端子ブロックにより一体化された前記複数の接続導体の隣接する前記端子部同士が面導体により接続されていてもよい。この構成によれば、基板の内部に容易にシールド壁を形成することができる。【００１３】
また、複数の前記端子ブロックが前記部品を囲むように配置されていてもよい。この構成によれば、基板内部に実装された部品に対するシールド壁を容易に形成することができる。また、前記基板の他方主面に実装された部品と、前記他方主面と前記部品とを被覆する第２封止樹脂層とをさらに備えていてもよい。【００１４】
また、前記基板の前記他方主面に他の部品とともに実装された他の接続導体と、前記他方主面と前記他の部品と前記他の接続導体とを被覆する第２封止樹脂層とをさらに備え、前記他の接続導体は、前記第２封止樹脂層内に立設された端子部と、前記他の接続導体の端部が屈曲されることにより形成された基板接続部とを有し、前記端子部は、その端部が前記第２封止樹脂層の表面から露出し、前記基板接続部が前記基板の前記他方主面に接続され、前記一方主面に実装された前記接続導体および前記他方主面に実装された前記他の接続導体の前記端子部の前記端部が外部接続端子を構成するようにしていてもよい。【００１５】
この構成によると、基板の両面に部品が実装されている場合にも、部分的にシールド壁を形成することができる。また、モジュールの上下に露出した端子部の他端が外部接続端子を構成するため、両面実装のモジュールを積層することができる。【００１６】
また、前記基板の前記他方主面に実装された前記部品および他の接続導体と、前記他方主面と前記部品と前記他の接続導体とを被覆する第２封止樹脂層と、前記第１封止樹脂層および前記第２封止樹脂層の表面に形成されたシールド膜とをさらに備え、前記他の接続導体は、前記第２封止樹脂層内に立設された端子部と、前記他の接続導体の端部が屈曲されることにより形成された基板接続部とを有し、前記端子部は、その端部が前記第２封止樹脂層の表面から露出し、前記基板接続部が前記基板の前記他方主面に接続され、前記一方主面に実装された前記接続導体および前記他方主面に実装された前記他の接続導体のいずれか一方の前記端子部の前記端部が外部接続端子を構成し、他方の前記端子部の前記端部が前記シールド膜に接続されていてもよい。【００１７】
この構成によると、基板の一方主面および他方主面の両面において、部分的にシールド壁を形成することができる。【００１８】
また、本発明の部品内蔵モジュールの製造方法は、一対の端子部と、金属体の端部が屈曲されて形成された基板接続部と、屈曲されていない側の端部同士を繋ぐ連結部とを有する複数の金属体が配列されて樹脂により一体化された端子集合体を形成する端子集合体形成工程と、前記端子集合体および部品を基板の一方主面に実装する実装工程と、前記基板の前記一方主面と前記端子集合体と前記部品とを被覆する封止樹脂層を形成する樹脂層形成工程と、前記封止樹脂層の表面を研磨することにより、前記端子集合体の前記連結部を除去する研磨工程とを備え、前記端子集合体形成工程は、一対のフレーム部に複数のリード部が支持されたリードフレームを準備するリードフレーム準備工程と、前記リードフレームのリード部を曲げ加工して前記基板接続部および前記連結部を有する前記複数の金属体を形成する金属体形成工程と、前記フレーム部に支持された前記複数の金属体を樹脂により封止する樹脂封止工程と、前記フレーム部を切断して除去するフレーム切断工程と、樹脂で封止された前記複数の金属体を切断し個片化する個片化工程とを有することを特徴としている。【００１９】
この構成によると、基板と接続導体との接続面積を大きくすることができるため、モジュールの信頼性を向上させることができる。さらに、端子部が封止樹脂層から抜けることを防止することができる。また、規格品として用意した端子集合体を組み合わせて実装することにより、複数の種類の部品内蔵モジュールに対して容易かつ同じ加工工程を適用することができる。また、端子集合体として基板に実装することで、加工工程を容易にすることができる。また、基板内部にシールドを設ける工程が容易になり、製造コストを削減することができる。
【発明の効果】
【００２０】
本発明によれば、外部接続端子やシールド壁を簡易な加工工程で形成することができ、量産性に富むモジュールを提供することができる。また、モジュール本体が大型化や多端子化されても、取扱いの容易な端子ブロックを実装することで、位置ずれを防止し、端子接続の信頼性を向上させることができる。
【図面の簡単な説明】
【００２１】
【図１】本発明の第１実施形態に係るモジュールの平面図および断面図である。
【図２】図１のモジュールの端子集合体の例を示す図である。
【図３】図１の端子集合体の別の例を示す図である。
【図４】図２の端子集合体の製造方法を示す図である。
【図５】図２の端子集合体の製造方法を示す図である。
【図６】図２の端子集合体の製造方法を示す図である。
【図７】図１のモジュールの製造方法を示す図である。
【図８】図１のモジュールの製造方法を示す図である。
【図９】図１のモジュールの変形例を示す図である。
【図１０】本発明の第２実施形態に係るモジュールの平面図および断面図である。
【図１１】本発明の第２実施形態に係るモジュールの平面図および断面図である。
【図１２】図１０のモジュールの製造方法を示す図である。
【図１３】図１０のモジュールの製造方法を示す図である。
【図１４】図１０のモジュールの変形例を示す図である。
【図１５】図１０のモジュールの変形例を示す図である。
【図１６】本発明の第３実施形態に係るモジュールの断面図である。
【図１７】本発明の第３実施形態に係るモジュールの断面図である。
【図１８】従来のモジュールの断面図である。
【発明を実施するための形態】
【００２２】
＜第１実施形態＞
本発明の第１実施形態に係るモジュール１について図１〜図３を参照して説明する。なお、図１（ａ）は第１実施形態に係るモジュール１の実装面側から見た平面図、図１（ｂ）はモジュール１のＡ−Ａ矢視断面図、図２および図３はモジュール１に実装される端子ブロックの例を示す図である。
【００２３】
第１実施形態に係るモジュール１は、図１に示すように、上面２ａ（本発明の「他方主面」に相当する）および下面２ｂ（本発明の「一方主面」に相当する）に複数の部品３が実装され、上面２ａに第２封止樹脂層４が積層され、下面２ｂに第１封止樹脂層５が積層された基板２と、基板２の下面２ｂに実装された複数の端子ブロック６と、第２封止樹脂層４の側面および上面４ａと第１封止樹脂層５の側面と基板２の側面とを被覆するシールド膜７とを備える。モジュール１は、例えば、電子機器のマザー基板８に搭載されるものである。
【００２４】
基板２は、例えば低温同時焼成セラミックスやガラスエポキシ樹脂等で形成される。基板２の上面２ａおよび下面２ｂには複数のランド電極９が形成され、基板２の表層および内層には複数のグランド電極（図示省略）、複数の配線電極（図示省略）、および複数のビア導体（図示省略）等が形成されている。なお、各グランド電極は、例えば、基板２の側面から露出するように形成されている。
【００２５】
各ランド電極９、各グランド電極、および各配線電極は、それぞれ、ＣｕやＡｇ、Ａｌ等の電極として一般的に採用される金属で形成されている。また、各ビア導体は、ＡｇやＣｕ等の金属で形成されている。
【００２６】
部品３は、例えば、インダクタ、コンデンサ、ＩＣ、パワーアンプ等の部品が挙げられる。各部品３は、接続端子（図示省略）が基板２の上面２ａおよび下面２ｂに形成されたランド電極９に半田により接続されることによって、基板２の上面２ａおよび下面２ｂに実装されている。
【００２７】
第２封止樹脂層４は、基板２の上面２ａと各部品３とを被覆するように基板２の上面２ａに設けられ、第１封止樹脂層５は、基板２の下面２ｂと各部品３と各端子ブロック６とを被覆するように基板２の下面２ｂに設けられる。両封止樹脂層４、５は、シリカフィラー入りのエポキシ樹脂等の封止樹脂として一般的に採用される樹脂で形成することができる。また、高熱伝導のため、アルミナフィラーなどの熱伝導率が高いフィラーを使用してもよい。
【００２８】
シールド膜７は、各部品３に対する外部からの電波を遮断するためのものであり、基板２のグランド電極に接続される。シールド膜７は、密着層と、密着層に積層された導電膜と、導電膜に積層された保護膜とを有する多層構造で形成することができる。密着層は、例えば、ＳＵＳなどの金属で形成することができる。また、密着層は、Ｔｉ、Ｃｒ、Ｎｉ、ＴｉＡｌ等であってもよい。導電膜は、シールド膜７の実質的なシールド機能を担う層であり、例えば、Ｃｕ、Ａｇ、Ａｌのうちいずれかの金属で形成することができる。保護膜は、導電膜が腐食したり、傷が付いたりするのを防止するために設けられたものであり、例えば、ＳＵＳで形成することができる。なお、保護膜は、Ｔｉ、Ｃｒ、Ｎｉ、ＴｉＡｌ等であってもよい。
【００２９】
端子ブロック６は、複数の接続導体１０が、一列または二列に配列されて樹脂６ａにより一体化されたものである。接続導体１０は、端子部１０ａと接続導体の一端が屈曲された基板接続部１０ｂとでＬ字状に形成された板状の導体である。この実施形態では、端子ブロック６は、８個の接続導体１０が２列に配列され、樹脂６ａにより一体化されている。なお、各列の基板接続部１０ｂは接続導体の一端が端子ブロック６の外側向きに屈曲されて形成されている。また、端子部１０ａの端部は第１封止樹脂層５の下面５ａから露出して、外部接続端子を構成し、基板接続部１０ｂは、基板２の下面２ｂに形成されたランド電極９に接続されている。基板２の下面２ｂに実装されている端子ブロック６のうち、隣接する端子部１０ａ同士が面導体で接続された端子ブロック６０は、基板２の下面２ｂに実装された部品３ａに対するシールド壁としても機能する。
【００３０】
端子ブロック６は、図２および図３に示すような端子集合体１１を基板２の下面２ｂに実装し、第１封止樹脂層５を積層して研磨または研削などの工程を経て、端子部１０ａ同士を連結する連結部１０ｃが除去されることにより形成することができる。なお、端子集合体１１の製造方法および端子集合体１１を基板２に実装した後、端子ブロック６を形成する方法の詳細については後述する。
【００３１】
ここで、端子集合体１１の各種形状について図２および図３を参照して説明する。端子集合体１１は、例えば、端子数、端子厚、端子幅、端子高、端子ピッチ等を、あらかじめ規格として設定して各種の形状を用意することができる。図２（ａ）の端子集合体１１は、端子部１０ａが２列に配列され、各列の向かいあう端子部１０ａ同士が連結部１０ｃにより連結されている。また、端子部１０ａの連結部１０ｃと反対側の端部が屈曲されて、基板接続部１０ｂが形成されている。端子集合体１１は、２つの端子部１０ａ同士が連結部１０ｃにより連結されてなる複数の金属板１０ｄが樹脂６ａにより被覆され、一体化された構造となっている。また、図２（ｂ）の端子集合体１１ａは、一方の列の隣接する一部の端子部１０ａ同士がシールド壁１０ｅにより接続されている形状である。また、図２（ｃ）の端子集合体１１ｂは、一方の列にシールド壁１０ｅが形成され、他方の列は端子部１０ａのみで形成されている。図２（ｄ）の端子集合体１１ｃは、さらに他方の列にもシールド壁１０ｅが形成されている。また、図３（ａ）の端子集合体１１ｄは、シールド壁１０ｅと連結部１０ｃとに挟まれた部分の樹脂が除去されているため、例えば、部品３を跨いで基板２の下面２ｂに実装することができる。また、図３（ｂ）の端子集合体１１ｅは、一方の列の端子部１０ａのうちの一部が除去され、他方の列にはシールド壁１０ｅが形成されている。また、図３（ｃ）の端子集合体１１ｆのように、隣接する端子部１０ａの上部のみが面導体で接続されて側面接続部１０ｆが形成されていてもよい。側面接続部１０ｆは、連結部１０ｃを除去する際の研磨の目安とすることができる。
【００３２】
（端子集合体の製造方法）
図４〜図６を参照して、端子集合体１１の製造方法を説明する。
【００３３】
図４（ａ）に示すように、１対のフレーム部１２に複数のリード部１３が支持されたリードフレームを準備する。次に、図４（ｂ）に示すように、リードフレームに曲げ加工を施して、端子部１０ａ、基板接続部１０ｂ、および連結部１０ｃとなる部分を形成する。そして、図５（ａ）に示すように、曲げ加工を施したリードフレームの端子部１０ａおよび連結部１０ｃとなる部分を樹脂６ａにより封止する。ここで、樹脂６ａは、シリカフィラー入りのエポキシ樹脂等の封止樹脂として一般に採用される樹脂で形成することができる。また、高熱伝導のため、アルミナフィラーなどの熱伝導率が高いフィラーを使用してもよい。
【００３４】
次に、図５（ｂ）に示すように、フレーム部１２をカットする。最後に、図６に示すように、所定の長さに切断して個片化すると、端子集合体１１が完成する。
【００３５】
（モジュールの製造方法）
次に、端子集合体１１を使用したモジュールの製造方法を、図７および図８を参照して説明する。この第１実施形態では、複数のモジュール１の集合体を形成した後に、個片化することによりモジュール１を製造する。なお、図７および図８においては、基板２の上面２ａに実装された各部品３および第２封止樹脂層４が図示省略されている。
【００３６】
まず、図７（ａ）に示すように、その上面２ａおよび下面２ｂに複数のランド電極９が形成され、表層または内層に複数のグランド電極、複数の配線電極、および複数のビア導体等が形成された基板２を用意する。各ランド電極９、各グランド電極、および各配線電極については、ＣｕやＡｇ、Ａｌ等の金属を含有する導電性ペーストをスクリーン印刷するなどしてそれぞれ形成することができる。また、各ビア導体については、レーザー等を用いてビアホールを形成した後、周知の方法により形成することができる。そして、基板２の上面２ａに各部品３を、また、下面２ｂに各部品３および各端子集合体１１を周知の表面実装技術を用いて実装する。例えば、基板２の下面２ｂに形成されたランド電極９のうち、所望のランド電極９上に半田を形成しておき、半田が形成されているランド電極９のうち対応するランド電極９上に各部品３および各端子集合体１１を実装し、その後、リフロー処理を行う。なお、各端子集合体１１は、必要に応じて端子集合体１１ａ〜１１ｆのいずれかに代えて実装してもよい。
【００３７】
次に、図７（ｂ）に示すように、基板２の上面２ａおよび下面２ｂに実装された各部品３および各端子集合体１１（１１ａ〜１１ｆ）を被覆するように第２封止樹脂層４および第１封止樹脂層５を形成する。両封止樹脂層４、５は、例えば、トランスファーモールド方式、コンプレッションモールド方式、液状樹脂工法、シート樹脂工法等を用いて形成することができる。また、両封止樹脂層４、５には、一般的なシリカフィラー入りのエポキシ樹脂を用いることができる。なお、両封止樹脂層４、５に高い熱伝導性を持たせるために、アルミナフィラーなどの熱伝導率が高いフィラー入りのエポキシ樹脂を用いることもできる。なお、両封止樹脂層４、５の形成前に、必要に応じて基板２のプラズマ洗浄を行ってもよい。
【００３８】
次に、図８（ａ）に示すように、第１封止樹脂層５の下面を研磨または研削して、各端子集合体１１（１１ａ〜１１ｆ）の連結部１０ｃを除去する。その後、図８（ｂ）に示すように、ダイサーまたはレーザー加工などの周知の方法により、モジュール１を個片化する。その後、スパッタ装置や真空蒸着装置を用いて、第２封止樹脂層４の表面および第１封止樹脂層５の側面と基板２の側面とを被覆するようにシールド膜７を成膜してモジュール１が完成する。
【００３９】
上記した実施形態によれば、あらかじめ設定した規格に基づいて種々の形状の端子集合体１１を用意しておけば、様々な種類のモジュールに対して同じ端子集合体１１を用いることができる。また、端子集合体１１は加工が容易で量産性も高いため、モジュールの製造コストを削減することが可能である。また、接続導体１０に基板接続部１０ｂを設けることにより、接続導体１０と基板２との接続面積を大きくすることができ、接続導体１０と基板２との接続信頼性を向上させることができる。
【００４０】
また、モジュール１が大型化、複雑化、多端子化されても、取扱いの容易な寸法や端子数の端子集合体１１を用意すれば、実装時の位置ずれによる接続不良を低減することができ、端子接続の信頼性を向上させることができる。
【００４１】
また、基板２の下面２ｂに枠状基板を搭載して、枠状基板の内周面にシールド膜を形成することにより、基板２の下面２ｂに実装された部品に対するシールド機能を実現する構造に比べて、本開示による構造は、基板２と枠状基板との熱膨張係数の差異等による反りの発生を抑制することができ、端子の接続不良や破断などにより、モジュールの信頼性が低下することを抑制することができる。また、シールド壁を有する端子集合体１１を組み合わせることで、枠状基板では加工工程が複雑になり形成することが難しい分割シールドや部分シールドを容易に形成することができる。
【００４２】
（モジュールの変形例）
モジュール１の変形例について、図９を参照して説明する。なお、図９（ａ）〜（ｃ）は、モジュール１ａ〜１ｃの断面図である。
【００４３】
図９（ａ）に示すように、モジュール１ａは、基板２の上面２ａに各部品３が実装されているが、第２封止樹脂層４が形成されていない。また、図９（ｂ）に示すように、モジュール１ｂは、基板２の上面２ａに部品３に代わり複数の配線／アンテナパターン１４が形成されている。また、図９（ｃ）に示すように、モジュール１ｃは、基板２の上面２ａに各部品３および各端子ブロック６が実装され、基板２の下面２ｂには配線／外部接続電極１４が形成されている。さらに、第２封止樹脂層４の表面の一部にはシールド膜７が形成されていない部分があり、シールド膜７が形成されていない部分には配線／外部接続電極１４が形成される。配線／外部接続電極１４には部品３が搭載されていてもよい。
【００４４】
＜第２実施形態＞
本発明の第２実施形態に係るモジュール１ｄおよびモジュール１ｅについて、図１０ないし図１３を参照して説明する。なお、図１０（ａ）は第２実施形態に係るモジュール１ｄの実装面側から見た平面図、図１０（ｂ）はモジュール１ｄのＡ−Ａ矢視断面図、図１１（ａ）は第２実施形態に係るモジュール１ｅの実装面側から見た平面図、図１１（ｂ）はモジュール１ｅのＡ−Ａ矢視断面図、図１２および図１３はモジュール１ｄおよびモジュール１ｅの製造方法を示す図である。
【００４５】
第２実施形態に係るモジュール１ｄ、１ｅが図１を用いて説明した第１実施形態に係るモジュール１と異なる点は、図１０および図１１に示すように、部品や他の端子ブロックを挟むように端子ブロックが配置されている点である。その他の構成は第１実施形態に係るモジュール１と同様であるため、同一符号を付すことによりその説明を省略する。
【００４６】
図１０に示すモジュール１ｄでは、基板２の下面２ｂに実装された部品３ａを挟むように２つの端子ブロック６ｂが配置されている。基板２の下面２ｂの略中央に配置されたシールド壁１０ｅを有する端子ブロック６０により、基板２の下面２ｂが２つの領域に仕切られており、さらに各端子ブロック６ｂもシールド壁１０ｅを有するため、２つに仕切られた領域のうちの一方の領域をさらに細かくシールド壁で仕切ることができる。
【００４７】
また、図１１に示すモジュール１ｅでは、基板２の下面２ｂの中央に配置された端子ブロック６０を挟むように２つの端子ブロック６ｃが配置されている。端子ブロック６ｃもシールド壁１０ｅを有するため、両端子ブロック６ｃにより、基板２の下面２ｂの略中央に位置する端子領域（端子ブロック６０が配置されている領域）と、部品が配置されている部品領域とに仕切ることができる。
【００４８】
（モジュールの製造方法）
モジュール１ｄまたはモジュール１ｅの製造方法を図１２および図１３を参照して説明する。なお、図１２および図１３において、基板２の上面２ａに実装された部品３および第２封止樹脂層４が図示省略されている。
【００４９】
まず、図１２（ａ）に示すように、その上面２ａおよび下面２ｂに複数のランド電極９が形成され、表層または内層に複数のグランド電極、複数の配線電極、および複数のビア導体等が形成された基板２を用意する。各ランド電極９、各グランド電極、および各配線電極については、ＣｕやＡｇ、Ａｌ等の金属を含有する導電性ペーストをスクリーン印刷するなどしてそれぞれ形成することができる。また、各ビア導体については、レーザー等を用いてビアホールを形成した後、周知の方法により形成することができる。そして、基板２の上面２ａに各部品３を、また、下面２ｂに各部品３、３ａと各端子集合体１１、１１０、１１ｄを周知の表面実装技術を用いて実装する。例えば、基板２の下面２ｂに形成されたランド電極９のうち、所望のランド電極９上に半田を形成しておき、半田が形成されているランド電極９のうち対応するランド電極９上に各部品３および各端子集合体１１を実装し、その後、リフロー処理を行う。このとき、部品３ａや低背の端子集合体１１０を跨ぐように端子集合体１１ｄを実装する。
【００５０】
次に、図１２（ｂ）に示すように、基板２の上面２ａおよび下面２ｂに実装された各部品３、３ａおよび各端子集合体１１、１１０、１１ｄを被覆するように第２封止樹脂層４および第１封止樹脂層５を形成する。両封止樹脂層４、５は、例えば、トランスファーモールド方式、コンプレッションモールド方式、液状樹脂工法、シート樹脂工法等を用いて形成することができる。また、両封止樹脂層４、５には、一般的なシリカフィラー入りのエポキシ樹脂を用いることができる。なお、両封止樹脂層４、５に高い熱伝導性を持たせるために、アルミナフィラーなどの熱伝導率が高いフィラー入りのエポキシ樹脂を用いることもできる。なお、両封止樹脂層４、５の形成前に、必要に応じて基板２のプラズマ洗浄を行ってもよい。
【００５１】
次に、図１３（ａ）に示すように、第１封止樹脂層５の下面を研磨または研削して、各端子集合体１１、１１０、１１ｄの連結部１０ｃを除去する。その後、図１３（ｂ）に示すように、ダイサーまたはレーザー加工などの周知の方法により、モジュール１を個片化する。その後、スパッタ装置や真空蒸着装置を用いて、第２封止樹脂層４の表面および第１封止樹脂層５の側面と基板２の側面とを被覆するようにシールド膜７を成膜してモジュール１ｄまたは１ｅが完成する。
【００５２】
なお、図１３（ｂ）に示すように、端子集合体１１０、１１ｄを分割するように個片化してもよい。この場合、図１４（ａ）、（ｂ）に示すモジュール１ｆの端子ブロック６ｄ、６ｅのように、端子集合体１１０が分割されて形成された端子ブロック６ｄが基板２の下面２ｂの端部に配置され、端子ブロック６ｄに隣接するように、端子集合体１１ｄが分割されて形成された端子ブロック６ｅが配置される。また、端子集合体１１を分割するように個片化した場合には、図１５に示すモジュール１ｇのように、端子集合体１１が分割されて形成された端子ブロック６ｆが基板２の下面２ｂの端部に配置される。
【００５３】
上記した実施形態によると、基板２の下面２ｂにおいて、シールド壁を有する端子ブロックを配置することにより、細かく領域を分割することができる。
【００５４】
＜第３実施形態＞
本発明の第３実施形態に係るモジュール１ｈないしモジュール１ｌについて、図１６および図１７を参照して説明する。なお、図１６（ａ）は第３実施形態に係るモジュール１ｈの断面図、図１６（ｂ）は３実施形態に係るモジュール１ｉの断面図、図１６（ｃ）は３実施形態に係るモジュール１ｊの断面図、図１７（ａ）は３実施形態に係るモジュール１ｋの断面図、図１７（ｂ）は３実施形態に係るモジュール１ｌの断面図である。
【００５５】
第３実施形態に係るモジュール１ｈないし１ｌが図１を用いて説明した第１実施形態に係るモジュール１と異なる点は、図１６および図１７に示すように、端子ブロック６が基板２の上面２ａおよび下面２ｂの両面に実装されている点である。その他の構成は第１実施形態に係るモジュール１と同様であるため、同一符号を付すことによりその説明を省略する。
【００５６】
図１６（ａ）に示すように、モジュール１ｈは、基板２の上面２ａに端子ブロック６ｂ、６ｆが実装され、下面２ｂに端子ブロック６が実装されている。基板２の上面２ａに実装された端子ブロック６ｂまたは６ｆの端子部１０ａの端部は、第２封止樹脂層４の上面４ａから露出して、シールド膜７に接続されている。なお、端子ブロック６ｂまたは６ｆの端子部１０ａは、シールド壁を含んでいてもよい。
【００５７】
また、図１６（ｂ）に示すように、モジュール１ｉは、基板２の上面２ａに実装された端子ブロック６の端子部１０ａの端部がシールド膜７に接続され、さらにシールド膜７が第２封止樹脂層４の上面４ａにおいて分割されており、端子ブロック６と関連して、複数の独立したシールド領域が形成されている。
【００５８】
また、図１６（ｃ）に示すように、モジュール１ｊは、第２封止樹脂層４の上面４ａの一部がシールド膜７で覆われておらず、そこに配線／外部接続電極１４が配置され、部品３が搭載されている。また、端子ブロック６の端子部１０ａの端部が配線またはアンテナパターンに接続されている。
【００５９】
また、図１７に示すように、モジュール１ｋ、１ｌは、基板２の上面２ａおよび下面２ｂに端子ブロック６が実装され、各端子ブロック６の端子部１０ａの端部が外部接続端子を構成する。図１７（ａ）に示すモジュール１ｋは、端子ブロックの端子部１０ａの端部のみが両封止樹脂層４、５から露出して外部接続端子を構成しており、図１７（ｂ）に示すモジュール１ｌは、低背化のために、一部の部品３の両封止樹脂層４、５から露出させた構成である。
【００６０】
上記した実施形態によると、基板２の上面２ａおよび下面２ｂの両面において、部分シールドを形成することができる。また、図１７に示す構成の場合、基板２の上面２ａおよび下面２ｂの両面に部分シールドを形成したうえで、複数のモジュールを積層することが可能となる。
【００６１】
なお、本発明は上記した各実施形態に限定されるものではなく、その趣旨を逸脱しない限りにおいて、上記したもの以外に種々の変更を行うことができる。
【産業上の利用可能性】
【００６２】
また、本発明は、基板に部品が実装され部品間にシールドが形成されたモジュールに広く適用することができる。
【符号の説明】
【００６３】
１、１ａ〜１ｌ  モジュール
２      基板
２ａ    上面（他方主面）
２ｂ    下面（一方主面）
３      部品
４      第２封止樹脂層
５      第１封止樹脂層
６、６ｂ〜６ｆ  端子ブロック
７      シールド膜
１０    接続導体
１０ａ  端子部
１０ｂ  基板接続部
１１、１１ａ〜１１ｆ  端子集合体
１２    フレーム部
１３    リード部
【図１】
2019138895.tif 000003
【図２】
2019138895.tif 000004
【図３】
2019138895.tif 000005
【図４】
2019138895.tif 000006
【図５】
2019138895.tif 000007
【図６】
2019138895.tif 000008
【図７】
2019138895.tif 000009
【図８】
2019138895.tif 000010
【図９】
2019138895.tif 000011
【図１０】
2019138895.tif 000012
【図１１】
2019138895.tif 000013
【図１２】
2019138895.tif 000014
【図１３】
2019138895.tif 000015
【図１４】
2019138895.tif 000016
【図１５】
2019138895.tif 000017
【図１６】
2019138895.tif 000018
【図１７】
2019138895.tif 000019
【図１８】
2019138895.tif 000020
【手続補正書】
【提出日】令和2年6月23日(2020.6.23)
【手続補正１】
【補正対象書類名】明細書
【補正対象項目名】００５９
【補正方法】変更
【補正の内容】
【００５９】
また、図１７に示すように、モジュール１ｋ、１ｌは、基板２の上面２ａおよび下面２ｂに端子ブロック６が実装され、各端子ブロック６の端子部１０ａの端部が外部接続端子を構成する。図１７（ａ）に示すモジュール１ｋは、端子ブロックの端子部１０ａの端部のみが両封止樹脂層４、５から露出して外部接続端子を構成しており、図１７（ｂ）に示すモジュール１ｌは、低背化のために、一部の部品３を両封止樹脂層４、５から露出させた構成である。
【国際調査報告】
2019138895.tif 000021
2019138895.tif 000022
2019138895.tif 000023
2019138895.tif 000024